(57)【要約】【課題】既存のインフラをうまく活用して、カードリーダを用いずに商品購入者への商品販売価格を変更して決済可能とする。【解決手段】販売対象商品の価格が格納されているサーバ２００と、サーバにアクセスしてサーバに格納されている価格を入手する通信端末１００と、通信端末を通じて送信される支払用カード番号に対する認証を行って価格の決済を行うカード会社端末３００とを備え、通信端末１００は、サーバに商品価格を追加／変更するという更新処理を要求する手段と、更新処理要求に付帯して更新処理要求の許可者に割り当てられているマスタ情報をサーバに送信する手段とを、サーバ２００は、更新処理要求の許可者に割り当てられているマスタ情報が記憶されているメモリと、マスタ情報がメモリに記憶されているか否かを判別する手段と、マスタ情報がメモリに記憶されていると判別された場合に更新処理要求を受けつけて更新処理を実行する手段とを有する。【選択図】  図１
2010191515.tif 000002
【特許請求の範囲】
【請求項１】
販売対象の商品又は提供対象の役務の価格が格納されているサーバと、
前記サーバに対してアクセスすることによって当該サーバに格納されている価格を入手する通信端末と、
前記通信端末を通じて送信される代金支払用カードに割り当てられている番号に対する認証を行って前記価格の決済を行うカード会社端末とを備え、
前記通信端末は、
前記サーバに商品或いは役務の価格を新たに追加する又は格納済みの価格を変更するという更新処理を要求する要求手段と、
前記要求手段による更新処理要求に先立って当該更新処理要求の許可者に割り当てられているマスタ情報を前記サーバに送信する送信手段とを有し、
前記サーバは、
前記要求手段による更新処理要求の許可者に割り当てられているマスタ情報が記憶されているメモリと、
前記送信手段によって送信されたマスタ情報が前記メモリに記憶されているか否かを判別する判別手段と、
前記判別手段によって前記マスタ情報が前記メモリに記憶されていると判別された場合に前記要求手段による更新処理要求を受けつけて更新処理を実行する実行手段とを有する、
決済システム。
【請求項２】
販売対象の商品又は提供対象の役務の価格が格納されているサーバに対してアクセスすることによって当該サーバに格納されている価格を入手し、前記価格の決済を行うカード会社端末に対して代金支払用カードに割り当てられている番号を送信する通信端末であって、
前記サーバに商品或いは役務の価格を新たに追加する又は格納済みの価格を変更するという更新処理を要求する要求手段と、
前記要求手段による更新処理要求に先立って当該更新処理要求の許可者に割り当てられているマスタ情報を前記サーバに送信する送信手段とを有する通信端末。
【請求項３】
販売対象の商品又は提供対象の役務の価格が格納されているサーバに対してアクセスすることによって当該サーバに格納されている価格を入手し、前記価格の決済を行うカード会社端末に対して代金支払用カードに割り当てられている番号を送信する通信端末に、
前記サーバに商品或いは役務の価格を新たに追加する又は格納済みの価格を変更するという更新処理を要求するステップと、
前記更新処理要求に先立って当該更新処理要求の許可者に割り当てられているマスタ情報を前記サーバに送信するステップとを実行させる通信端末用プログラム。
【発明の詳細な説明】
【技術分野】
【０００１】
本発明は、決済システム、それに用いられる通信端末及びプログラムに関し、特に、商品購入者への商品販売価格を変更して決済可能な決済システム、それに用いられる通信端末及びプログラムに関する。
【背景技術】
【０００２】
従来、クレジットカードのカードリーダが設置されていない場所で、クレジットカードの利用促進を図るための技術が、特許文献１に開示されている。具体的には、この技術は、クレジットカード等のカードリーダを貸与し、該貸与されたカードリーダによりクレジットカード等のカードからデータを読み出し、カードリーダは、この読み出したデータおよび該カードリーダの端末識別情報を決済処理サーバに送信して、カード決済を行うものである。
【０００３】
【特許文献１】特開２００５−３２６９１２
【発明の概要】
【発明が解決しようとする課題】
【０００４】
しかし、特許文献１に開示されている技術は、結局のところ、ポータブルタイプのカードリーダをレンタルしているものに過ぎない。その意図は、必ずしも明らかではないが、この種のカードリーダが一般的に高価であることから、購入者数が限定的であるといった理由にあると思われる。
【０００５】
とすれば、ポータブルタイプのカードリーダは、現状のものですら高価であるのだから、更に、種々の機能を搭載することは敬遠されがちであるので、新たな効果を創出することは困難である。
【０００６】
そこで、本発明は、既存のインフラをうまく活用して、カードリーダを用いなくても、商品購入者への商品販売価格を変更して決済可能な技術を提供することを課題とする。
【課題を解決するための手段】
【０００７】
上記課題を解決するために、本発明の決済システムは、
販売対象の商品又は提供対象の役務の価格が格納されているサーバと、
前記サーバに対してアクセスすることによって当該サーバに格納されている価格を入手する通信端末と、
前記通信端末を通じて送信される代金支払用カードに割り当てられている番号に対する認証を行って前記価格の決済を行うカード会社端末とを備え、
前記通信端末は、
前記サーバに商品或いは役務の価格を新たに追加する又は格納済みの価格を変更するという更新処理を要求する要求手段と、
前記要求手段による更新処理要求に付帯して当該更新処理要求の許可者に割り当てられているマスタ情報を前記サーバに送信する送信手段とを有し、
前記サーバは、
前記要求手段による更新処理要求の許可者に割り当てられているマスタ情報が記憶されているメモリと、
前記送信手段によって送信されたマスタ情報が前記メモリに記憶されているか否かを判別する判別手段と、
前記判別手段によって前記マスタ情報が前記メモリに記憶されていると判別された場合に前記要求手段による更新処理要求を受けつけて更新処理を実行する実行手段とを有する。
【０００８】
また、本発明は、
販売対象の商品又は提供対象の役務の価格が格納されているサーバに対してアクセスすることによって当該サーバに格納されている価格を入手し、前記価格の決済を行うカード会社端末に対して代金支払用カードに割り当てられている番号を送信する通信端末であって、
前記サーバに商品或いは役務の価格を新たに追加する又は格納済みの価格を変更するという更新処理を要求する要求手段と、
前記要求手段による更新処理要求に先立って当該更新処理要求の許可者に割り当てられているマスタ情報を前記サーバに送信する送信手段とを有する。
【０００９】
さらに、本発明の通信端末用プログラムは、販売対象の商品又は提供対象の役務の価格が格納されているサーバに対してアクセスすることによって当該サーバに格納されている価格を入手し、前記価格の決済を行うカード会社端末に対して代金支払用カードに割り当てられている番号を送信する通信端末に、
前記サーバに商品或いは役務の価格を新たに追加する又は格納済みの価格を変更するという更新処理を要求するステップと、
前記更新処理要求に先立って当該更新処理要求の許可者に割り当てられているマスタ情報を前記サーバに送信するステップとを実行させる。
【００１０】
これにより、典型的には、上記更新処理を行うことによって、商品購入者毎に所定の割引価格で商品を販売することが可能となる。もっとも、更新処理は、更新処理要求の許可者に割り当てられているマスタ情報による認証を経ないと実行されないので、いわゆるなりすまし的な更新処理操作も防止することが可能となる。
【図面の簡単な説明】
【００１１】
【図１】本発明の実施形態の決済システムの模式的な構成を示すブロック図である。
【図２】図１に示すメモリ２４０に格納されている一部の情報例を示す図である。
【図３】図１に示す決済システムの動作を示すシーケンス図である。
【図４】図３に示す決済システムの動作を示すシーケンス図の変形例である。
【符号の説明】
【００１２】
１００  通信端末
１１０  通信手段
１２０  表示手段
１３０  要求手段
２００  サーバ
２１０  通信手段
２２０  判別手段
２３０  実行手段
２４０  メモリ
３００  カード会社端末
３１０  通信手段
３２０  認証手段
３３０  決済手段
４００  ネットワーク
５００  顧客端末
【発明を実施するための形態】
【００１３】
以下、本発明の実施形態について、図面を参照して説明する。
【００１４】
図１は、本発明の実施形態の決済システムの模式的な構成を示すブロック図である。図１には、以下説明する、通信端末１００と、サーバ２００と、カード会社端末３００と、ネットワーク４００とを示している。
【００１５】
通信端末１００は、商品販売者／役務提供者が携帯するものである。通信端末１００は専用機とすることはもとより、たとえば携帯電話機、ＰＤＡ（Personal Data Assistant）などの汎用機を用いることもできる。
【００１６】
通信端末１００は、ネットワーク４００を通じてサーバ２００との間で通信を行う通信手段１１０と、サーバ２００から送信されてきた情報をディスプレイに表示する表示手段１２０と、サーバ２００に対して商品価格の変更又は追加といった更新処理を行う要求手段１３０とを備えている。
【００１７】
通信端末１００を汎用機とした場合には、要求手段１３０による処理を、プログラムによって実現することができる。つまり、通信端末１００に、サーバ２００に商品或いは役務の価格を新たに追加する又は格納済みの価格を変更するという更新処理を要求するステップ及びこれに付帯するステップを実行させるプログラムを用意し、そのプログラムを通信端末１００にインストールしておけばよい。
【００１８】
サーバ２００は、商品販売者の所属する会社などに設置されるものであり、いわゆる業務用パーソナルコンピュータなどが該当する。
【００１９】
サーバ２００は、ネットワーク４００を通じて通信端末１００又はカード会社端末３００との間で通信を行う通信手段２１０と、通信端末１００から更新処理要求時に送信される社員マスタ（更新処理要求を行うことができる社員に割り当てられているマスタ）がメモリ２４０に格納されているか否か判別する判別手段２２０と、判別手段２２０によって社員マスタがメモリ２４０に格納されていると判別された場合に通信端末１００からの更新処理要求を実行する実行手段２３０と、商品価格など及び社員マスタなどが格納されているメモリ２４０とを備えている。
【００２０】
カード会社端末３００は、代金支払用カードであるところのクレジットカード会社などに設置されるものであり、いわゆる業務用パーソナルコンピュータなどが該当する。
【００２１】
カード会社端末３００は、ネットワーク４００を通じてサーバ２００との間で通信を行う通信手段３１０と、サーバ２００から送信されるクレジットカード番号及び暗証番号に基づいてカード決済のための認証を行う認証手段３２０と、認証手段３２０によってクレジットカード番号等が認証された場合に決済を行う決済手段３３０とを備えている。
【００２２】
ネットワーク４００は、インターネット、携帯電話網などのネットワーク全般の総称である。
【００２３】
図２は、図１に示すメモリ２４０に格納されている一部の情報例を示す図である。図２に示すように、メモリ２４０には、販売対象の各商品に割り当てられているユニークな商品／役務番号と、当該各商品／役務の販売価格と、販売／役務価格の変更／追加の有無と、販売価格が変更／追加された場合に変更処理要求を行った社員マスタとが、一組で格納されている。
【００２４】
図２に示す各情報は、顧客毎に用意されており、ここでは、「ＺＺＺ」という顧客マスタに係る情報例が示されている。また、各情報例としては、図２に示す通り、たとえば、商品／役務番号「０００１」に対して、販売価格「１０，０００（円）」と、これに対する変更要求がないことを示す「０」とが一組で格納されている。同様に、商品／役務番号「０００２」に対して、販売価格「１５，０００（円）」と、これに対する変更要求があることを示す「１」と、変更要求に係る社員マスタ「ＡＡＡ」とが、一組で格納されている。
【００２５】
なお、メモリ２４０には、これらの情報の他にも、判別手段２２０による判別時に参照されるすべての社員マスタが格納されており、更には、顧客マスタに紐づけられた顧客名、及び、その住所、電話番号、メールアドレスなどの顧客連絡先なども格納されている。
【００２６】
図３は、図１に示す決済システムの動作を示すシーケンス図である。図３に示すように、まず、通信端末１００は、顧客マスタを指定して当該顧客マスタに係る価格送信要求を行う。具体的には、通信手段１１０によって、当該要求が、ネットワーク４００を介して、サーバ２００に対して送信される（ステップＳ１）。
【００２７】
サーバ２００は、通信端末１００からの送信された要求を受信すると、メモリ２４０に格納されている図２に示すような情報を読み出して、ネットワーク４００を介して通信端末１００に対して送信する。当該要求の受信及び当該情報の送信は、通信手段２１０によって行われる（ステップＳ２）。
【００２８】
通信端末１００は、図２に示すような情報を受信すると、表示手段１２０によって、当該情報をディスプレイに表示する。通信端末１００を操作する社員が、この情報を見て、商品の販売価格等を割引しようとする場合、つまり、商品の販売価格の変更処理要求を行おうとする場合には、以下の処理を行う。すなわち、通信端末１００を操作する社員は、自身に割り当てられている社員マスタを通信端末１００に入力するとともに、価格の変更処理対象の商品／役務番号を指定して、かつ、その商品の変更後の価格を入力し、通信端末１００の送信ボタンを押下することになる。
【００２９】
通信端末１００は、当該社員によって送信ボタンが押下されると、ネットワーク４００を介して、サーバ２００に対して変更処理要求を行う。具体的には、入力された社員マスタ、商品／役務番号、変更後の価格が、サーバ２００に送信される（ステップＳ３）。
【００３０】
サーバ２００が当該要求を受信すると、まず、判別手段２２０は、通信端末１００から送信された社員マスタが、メモリ２４０に格納されているか否か判別する。この判別処理によって、いわゆるなりすましによる価格変更は排除される。
【００３１】
判別の結果、この社員マスタがメモリ２４０に格納されている場合には、実行手段２３０は、通信端末１００から送信された商品／役務番号及び変更後の価格に従って、メモリ２４０に格納されている情報を更新する。具体的には、図２の場合でいえば、商品／役務番号「０００２」に係る変更／追加の有無が「１」となり、更新要求処理を行った社員の社員マスタ「ＡＡＡ」が格納される。その後、サーバ２００は、更新後の価格情報を、通信端末１００に送信する（ステップＳ４）。
【００３２】
なお、ステップＳ４に先立って、社員マスタがメモリ２４０に格納されていないと判別された場合には、その旨の情報がサーバ２００から通信端末１００に送信される。この際、当該社員マスタが、エラーであったことを示す情報とともにメモリ２４０に格納される。
【００３３】
通信端末１００は、更新後の価格情報を受信すると、表示手段１２０によって、当該情報をディスプレイに表示する。通信端末１００を操作する社員が、その表示内容に誤りがないと判断した場合には、クレジットカードの名義、クレジットカード番号などの決済に必要な情報を、サーバ２００に送信することによって決済要求を行う（ステップＳ５）。
【００３４】
サーバ２００は、クレジットカードの名義及びクレジットカード番号を受信すると、通信手段２１０によって、それらをカード会社端末３００へ送信する（ステップＳ６）。
【００３５】
カード会社端末３００では、通信手段３１０によってクレジットカードの名義等を受信すると、認証手段３２０によって、サーバ２００から送信されたクレジットカードの名義及びクレジットカード番号に基づくカード決済のための認証が行われる。そして、クレジットカード番号等が認証された場合には、決済手段３３０によって決済が行われる。
【００３６】
以上説明したように、本実施形態の決済システムは、通信端末１００からサーバ２００に格納済みの価格の変更を行い、その変更後の価格で決済を行うことができる。
【００３７】
なお、ステップＳ１〜ステップＳ６では、価格を変更する場合の動作例に説明したが、この他にも、本実施形態の決済システムでは、以下のように、通信端末１００からサーバ２００のメモリに対して、価格の追加を行うこともできる。
【００３８】
まず、通信端末１００からサーバ２００に対して価格の追加を行う場合の典型的としては、商品購入者から当該商品に対するメンテナンスを要求され、そのメンテナンス業務を行うこととした場合に、新たにメンテナンスという役務の提供価格をサーバ２００に格納する必要がある。
【００３９】
係る場合には、ステップＳ１，ステップＳ２と同様に、通信端末１００とサーバ２００との間で、価格送信要求及び図２に示すような情報の通信がなされる（ステップＳ１１，ステップＳ１２）。
【００４０】
つぎに、ステップＳ３の変更処理要求に代えて、追加処理要求を行う。すなわち、役務の提供価格の追加処理要求を行おうとする場合には、通信端末１００を操作する社員は、自身に割り当てられている社員マスタを通信端末１００に入力するとともに、新たな商品／役務番号を指定して、かつ、その役務の価格を入力し、通信端末１００の送信ボタンを押下することになる。
【００４１】
通信端末１００は、当該社員によって送信ボタンが押下されると、ネットワーク４００を介して、サーバ２００に対して追加処理要求を行う。具体的には、入力された社員マスタ、商品／役務番号、追加後の価格が、サーバ２００に送信される。（ステップＳ１３）。
【００４２】
サーバ２００が当該要求を受信すると、まず、判別手段２２０は、通信端末１００から送信された社員マスタが、メモリ２４０に格納されているか否か判別する。この判別処理によって、いわゆるなりすましによる価格追加は排除される。
【００４３】
判別の結果、この社員マスタがメモリ２４０に格納されている場合には、実行手段２３０は、通信端末１００から送信された商品／役務番号及び追加後の価格に従って、メモリ２４０に格納されている情報を更新する。具体的には、図２の場合でいえば、商品／役務番号「０００４」に対して、追加後の価格「４，０００（円）」が入力され、その変更／追加の有無が「１」となり、追加要求処理を行った社員の社員マスタ「ＡＡＡ」が格納される。その後、サーバ２００は、更新後の価格情報を、通信端末１００に送信する（ステップＳ１４）。
【００４４】
その後の動作は、ステップＳ５，ステップＳ６と同様である（ステップＳ１５，ステップＳ１６）。
【００４５】
以上説明したように、本実施形態の決済システムは、通信端末１００からサーバ２００に新たな価格の追加を行い、その追加後の価格で決済を行うことができる。
【００４６】
図４は、図３に示す決済システムの動作を示すシーケンス図の変形例である。この変形例では、サーバ２００に対する決済要求主体を、ステップＳ５，Ｓ１５に示す通信端末１００に代えて、顧客端末５００としている。
【００４７】
顧客端末５００は、典型的には、顧客が携帯するものである。顧客端末５００は、専用機としてもよいし、たとえば携帯電話機、ＰＤＡ（Personal Data Assistant）などの汎用機を用いることもできる。
【００４８】
顧客端末５００は、通信端末１００と同様に、ネットワーク４００を通じてサーバ２００との間で通信を行う通信手段と、サーバ２００から送信されてきた情報をディスプレイに表示する表示手段とを備えている。
【００４９】
顧客端末５００を用いて決済要求を行うと（ステップＳ２５，Ｓ３５）、通信端末１００を用いた場合に比して、クレジットカード番号が、通信端末１００に残らないため、顧客自身にとっては、個人情報流出の虞が減少するので望ましい。
【図１】
2010191515.tif 000003
【図２】
2010191515.tif 000004
【図３】
2010191515.tif 000005
【図４】
2010191515.tif 000006